(57)【要約】【課題】  マークの付与位置の異なる各種の記録紙に対応することができ、記録装置の汎用性を向上させる。【解決手段】  一対の紙幅規制部５６、５７の間にロール紙を収納し、このロール紙の下流に記録紙搬送路を形成する一対の搬送ガイド１６ａ、１６ｂと、ロール紙に画像を記録する記録ヘッドと、ロール紙を所望長で切断する切断ユニットとを備え、搬送ガイド１６ａ、１６ｂにセンサ３７を設けて、このセンサ３７によりロール紙に付与されたマークを検出することにより、記録ヘッドによる記録後のロール紙を所望長で切断する記録装置において、一対の搬送ガイド１６ａ、１６ｂには、ロール紙に付与されたマークの付与位置に応じて、その対応する位置にセンサ３７を取付自在とする複数の取付部６１ａ、６１ｂ、６１ｃ、６２ａ、６２ｂ、６２ｃが設けられている。【選択図】      図５
2006056178.tif 000002
【特許請求の範囲】
【請求項１】
記録紙に記録する記録ヘッドと、記録紙の記録紙搬送路を形成する一対の搬送ガイドと
を備え、前記搬送ガイドにセンサを設けて、このセンサにより前記記録紙に付与されたマ
ークを検出する記録装置において、
前記一対の搬送ガイドには、前記記録紙に付与されたマークの付与位置に応じて、その
対応する位置に前記センサを取付自在とする複数の取付部が設けられていることを特徴と
する記録装置。
【請求項２】
記録紙が収納される収納部を有する固定側ユニットと、この固定側ユニットに前記収納
部を開閉可能に支持される開閉側ユニットとを備えると共に、前記収納部から引き出され
た記録紙に記録する記録ヘッドを備え、
前記固定側ユニットは、前記収納部に連なる固定側の搬送ガイドを備え、
前記開閉側ユニットは、当該開閉側ユニットを閉じた状態で前記固定側の搬送ガイドに
対向し、これとの協働によって記録紙搬送路を形成する開閉側の搬送ガイドを備え、
前記各搬送ガイドには、前記記録紙に付与されたマークの付与位置に応じて、その対応
する位置に前記マークを検出するセンサを取付自在とする複数の取付部が設けられている
ことを特徴とする記録装置。
【請求項３】
前記センサは、一方の搬送ガイドに取り付けられた光反射型センサ素子と、これに対向
する他方の搬送ガイドに取り付けられた反射部とを備えて構成されていることを特徴とす
る請求項１又は請求項２に記載の記録装置。
【請求項４】
前記各取付部は、前記光反射型センサ素子又は前記反射部を取り付け可能に構成されて
いることを特徴とする請求項３に記載の記録装置。
【請求項５】
前記センサは、一方の搬送ガイドに取り付けられた光反射型センサ素子のみで構成され
ていることを特徴とする請求項１又は請求項２に記載の記録装置。
【請求項６】
前記光反射型センサ素子が、横長の回路基板の一方の端部側に寄せて取り付けられると
共に、前記回路基板ごと前記光反射型センサ素子を支持し、当該光反射型センサ素子を覆
う透明体からなるセンサカバーを備え、このセンサカバーは、前記回路基板を基板面内で
１８０°回転させて支持自在に構成されていることを特徴とする請求項３乃至請求項５の
いずれか一項に記載の記録装置。
【請求項７】
前記一方の搬送ガイドには横長の開口が設けられ、
この横長の開口及び前記センサカバーを通じて、前記光反射型センサ素子が前記記録紙
搬送路に臨むように取り付けられ、前記センサカバーには、前記開口の長手方向の略中央
に位置して、前記記録紙搬送路に突出する突起が形成されていることを特徴とする請求項
６に記載の記録装置。
【請求項８】
前記記録紙の紙幅方向の移動を規制する一対の紙幅規制部を備え、
前記各取付部は、前記紙幅規制部により規制された前記記録紙の端部に対向するように
設けられていることを特徴とする請求項１乃至請求項７のいずれか一項に記載の記録装置
。
【請求項９】
前記センサにより前記記録紙の前記マークを検出した結果に基づいて、前記記録紙を所
望長で切断する切断ユニットを備えたことを特徴とする請求項１乃至請求項８のいずれか
一項に記載の記録装置。
【請求項１０】
前記記録紙は、ロール状に形成され、前記マークが前記記録紙の長さ方向に一定の間隔
で付与されていることを特徴とする請求項１乃至請求項９のいずれか一項に記載の記録装
置。
【発明の詳細な説明】
【技術分野】
【０００１】
本発明は、記録紙搬送路を通過する記録紙に設けられた切断位置や印字位置を特定する
ためのマークを検出するセンサを備えた記録装置に関する。
【背景技術】
【０００２】
一般に、記録紙搬送路を通過する記録紙に設けられた切断位置を特定するためのマーク
を検出するセンサを備え、この切断位置で記録ヘッドにより記録した後の記録紙を切断す
る切断ユニットを備えた記録装置が知られている（例えば、特許文献１参照）。この種の
記録装置として、一対の紙幅規制部の間にロール状の記録紙を収納し、この記録紙の下流
に記録紙搬送路を形成する一対の搬送ガイドを備え、搬送ガイドにセンサを設けて、この
センサにより記録紙に付与されたマーク（例えば、ブラックマーク）を検出することによ
り、記録ヘッドによる記録後の記録紙を所望長で切断するものが知られている。
【０００３】
また、記録紙には、当該記録紙の記録面（表面）やこの表面に対する反対側の裏面に上
記マークが付与されていたり、記録紙の表面あるいは裏面において、記録紙の紙幅方向の
左右いずれかの端部に上記マークが付与されている各種の記録紙が存在している。
【特許文献１】特開２００２−７９７５２号公報
【発明の開示】
【発明が解決しようとする課題】
【０００４】
しかしながら、従来の記録装置では、搬送ガイドは、センサを特定の一箇所にのみ配置
するように形成されているので、特定の記録紙のみには対応しているものの、マークの付
与位置の異なる他の種類の記録紙に対応していない。これに対応させるために、用いられ
る記録紙毎に対応する搬送ガイドの仕様を変更したのでは、汎用性が低いものとなってし
まい、製造コストが高くなってしまう。
【０００５】
そこで、本発明の目的は、上述した従来の技術が有する課題を解消し、マークの付与位
置の異なる各種の記録紙に対応して、マークを正確に検出することができ、汎用性が向上
する記録装置を提供することにある。
【課題を解決するための手段】
【０００６】
上記課題を解決するため、本発明は、記録紙に記録する記録ヘッドと、記録紙の記録紙
搬送路を形成する一対の搬送ガイドとを備え、前記搬送ガイドにセンサを設けて、このセ
ンサにより前記記録紙に付与されたマークを検出する記録装置において、前記一対の搬送
ガイドには、前記記録紙に付与されたマークの付与位置に応じて、その対応する位置に前
記センサを取付自在とする複数の取付部が設けられていることを特徴とするものである。
【０００７】
また、記録紙が収納される収納部を有する固定側ユニットと、この固定側ユニットに前
記収納部を開閉可能に支持される開閉側ユニットとを備えると共に、前記収納部から引き
出された記録紙に記録する記録ヘッドを備え、前記固定側ユニットは、前記収納部に連な
る固定側の搬送ガイドを備え、前記開閉側ユニットは、当該開閉側ユニットを閉じた状態
で前記固定側の搬送ガイドに対向し、これとの協働によって記録紙搬送路を形成する開閉
側の搬送ガイドを備え、前記各搬送ガイドには、前記記録紙に付与されたマークの付与位
置に応じて、その対応する位置に前記マークを検出するセンサを取付自在とする複数の取
付部が設けられていることを特徴とするものである。
これらの構成によれば、マークの付与位置に対応した取付部にセンサが取り付けられる
ので、センサを取り付ける位置に応じて搬送ガイドの仕様を変更する必要がなく、マーク
の付与位置の異なる各種の記録紙に対応してセンサを簡単に配置することができ、記録装
置の汎用性を向上させることができる。
【０００８】
また、前記記録装置において、前記センサは、一方の搬送ガイドに取り付けられた光反
射型センサ素子と、これに対向する他方の搬送ガイドに取り付けられた反射部とを備えて
構成されていてもよい。
また、前記記録装置において、前記各取付部は、前記光反射型センサ素子又は前記反射
部を取り付け可能に構成されていてもよい。
【０００９】
また、前記記録装置において、前記センサは、一方の搬送ガイドに取り付けられた光反
射型センサ素子のみで構成されていてもよい。
【００１０】
また、前記記録装置において、前記光反射型センサ素子が、横長の回路基板の一方の端
部側に寄せて取り付けられると共に、前記回路基板ごと前記光反射型センサ素子を支持し
、当該光反射型センサ素子を覆う透明体からなるセンサカバーを備え、このセンサカバー
は、前記回路基板を基板面内で１８０°回転させて支持自在に構成されていてもよい。
【００１１】
また、前記記録装置において、前記一方の搬送ガイドには横長の開口が設けられ、この
横長の開口及び前記センサカバーを通じて、前記光反射型センサ素子が前記記録紙搬送路
に臨むように取り付けられ、前記センサカバーには、前記開口の長手方向の略中央に位置
して、前記記録紙搬送路に突出する突起が形成されていてもよい。
また、前記記録装置において、前記記録紙の紙幅方向の移動を規制する一対の紙幅規制
部を備え、前記各取付部は、前記紙幅規制部により規制された前記記録紙の端部に対向す
るように設けられていてもよい。
また、前記記録装置において、前記センサにより前記記録紙の前記マークを検出した結
果に基づいて、前記記録紙を所望長で切断する切断ユニットを備えられていてもよい。
また、前記記録装置において、前記記録紙は、ロール状に形成され、前記マークが前記
記録紙の長さ方向に一定の間隔で付与されていてもよい。
【発明の効果】
【００１２】
本発明によれば、センサを取り付ける位置に応じて搬送ガイドの仕様を変更する必要が
なく、マークの付与位置の異なる各種の記録紙に対応してセンサを簡単に配置することが
でき、記録装置の汎用性を向上させることができる。
【発明を実施するための最良の形態】
【００１３】
以下、本発明の実施形態について図面を参照して説明する。
【００１４】
図１〜図３に示すように、プリンタ１は、その四周側面を覆う矩形枠状のケース本体２
と、プリンタ上面の前側部分を覆う前側開閉蓋３及び後側部分を覆う後側開閉蓋４とを備
え、これらによりプリンタケースが構成されている。開閉蓋３、４の間の位置には、記録
紙排出口５が形成されている。
【００１５】
上記後側開閉蓋４には、スライドボタン６が設けられ、このスライドボタン６を操作す
ると、そのロック機構（不図示）が外れて、当該後側開閉蓋４が、図３に示すように、後
方に跳ね上げられて、開けることが可能になる。この開閉蓋４を開けると、ロール状に巻
かれた一定幅の記録紙７（以下、「ロール紙」という。）を収納する収納部８が露出し、
この収納部８に収納されたロール紙７が交換可能になる。また、前側開閉蓋３を開けると
、インクリボンを収納したリボンカセット９を着脱可能に装着するリボンカセット装着部
１０が露出し、リボンカセット９の交換などを行うことができる。プリンタ１は、図２及
び図３に示すように、記録ヘッド２０を備え、この記録ヘッド２０のヘッド面２０ａに対
向してプラテン２１が配置されている。この記録ヘッド２０は、ドットインパクト方式の
記録ヘッドであり、複数の記録ワイヤ（不図示）を備え、これら記録ワイヤをヘッド面２
０ａから選択的に突出させてプラテン２１上に搬送されたロール紙７にリボンカセット９
から繰り出されたインクリボンを介して文字等を含む画像を記録するものである。
【００１６】
上記プリンタケースには、図２〜図４に示すように、プリンタユニット１１が内蔵され
、このプリンタユニット１１は、固定側ユニット１２と、この固定側ユニット１２に設け
られた収納部８を開閉可能に固定側ユニット１２に支持される開閉側ユニット１３とを備
えて構成されている。固定側ユニット１２には、前側開閉蓋３が固定され、開閉側ユニッ
ト１３には、後側開閉蓋４が固定されている。
【００１７】
この開閉側ユニット１３は、固定側ユニット１２の後端部分に設けられた回転中心軸３
６を中心として上下に揺動可能な状態で支持されている。
【００１８】
固定側ユニット１２は、本体フレーム４０を備えており、この本体フレーム４０の前側
部分にはキャリッジガイド軸２３が幅方向に架け渡されている。このキャリッジガイド軸
２３には、記録ヘッド２０を搭載したヘッドキャリッジ２２が往復移動可能な状態で支持
されている。また、本体フレーム４０には、リボンフレーム４１が装着されている。
【００１９】
開閉側ユニット１３は、開閉フレーム５１を備えており、この開閉フレーム５１は、図
４に示すように、前後方向に延びる左右の腕部５２、５３と、これら腕部５２、５３の前
端部分を連結している前端連結板部５４とを備えている。左右の腕部５２、５３の後端部
分は、上述した回転中心軸３６の両端部分によって回転自在に支持されている。これら本
体フレーム４０及び開閉フレーム５１により、プリンタフレームが構成されている。
【００２０】
図５は、開閉フレーム５１を開いた状態のプリンタフレームを示す斜視図である。プリ
ンタフレームの後側の部分には、側方から見た場合に上方に開口した円弧状の底面を備え
た収納部８が形成されている。この収納部８には、ロール紙７の紙幅方向の移動を規制す
る一対の紙幅規制部５６、５７が設けられている。これら一対の紙幅規制部５６、５７の
内、一方の紙幅規制部５６は、収納部８に固定して配置され、ロール紙７を収納部８に収
納する際の基準となっている。また、他方の紙幅規制部５７は、収納部８において、ロー
ル紙７の幅寸法に応じて紙幅方向と同一方向に複数（本実施形態では、２つ）の所定位置
に移動可能に配置される。従って、異なる複数種類（本実施形態では、２種類）の紙幅寸
法のロール紙を一対の紙幅規制部５６、５７で挟んで収納部８に収納することができる。
なお、図５に示す紙幅規制部５７は、２種類の紙幅寸法の内、寸法が長いロール紙に対応
する位置にセットされており、紙幅寸法が短いロール紙を使用する場合は、紙幅規制部５
７が図５中矢印Ｘ方向に移動され、ロール紙が紙幅規制部５６、５７間に収納されること
となる。
【００２１】
図２に示すように、収納部８に収納されたロール紙７は、収納部８の前端部分（収納部
８の下流）に配置されているガイドローラ１４を介して記録紙搬送路１５に導かれる。こ
の記録紙搬送路１５は、前方に向けて上方に僅かに傾斜している搬送路部分１６と、この
搬送路部分１６の前端から上方に大きな傾斜角度で立ち上がっている前方傾斜路部分１７
と、この前方傾斜路部分１７の上端から後方に向けて傾斜して記録紙排出口５に繋がって
いる後方傾斜路部分１８とを備えて構成される。なお、図２においてはロール紙７を二点
鎖線で示してある。
【００２２】
記録紙搬送路１５の搬送路部分１６は、一対の搬送ガイド１６ａ、１６ｂにより形成さ
れる。詳細に説明すると、固定側ユニット１２の収納部８に連なる固定側の搬送ガイド１
６ａと、開閉側ユニット１３を閉じた状態で固定側の搬送ガイド１６ｂに対向するように
開閉側ユニット１３に設けられる開閉側の搬送ガイド１６ａとの協働により記録紙搬送路
１５の搬送路部分１６が形成される。
【００２３】
この搬送路部分１６に続く前方傾斜路部分１７は、記録ヘッド２０のヘッド面２０ａと
、これに対して一定間隔で対向しているプラテン２１とによって規定されており、記録ヘ
ッド２０により画像（テキストを含む）が記録される記録位置となっている。記録ヘッド
２０は、そのヘッド面２０ａが後ろ向きで、上方に傾斜した姿勢で配置されている。記録
ヘッド２０の傾きに対応させて、プラテン２１の表面は前方に向けて下方に傾斜した状態
に配置されている。記録ヘッド２０は、ヘッドキャリッジ２２に搭載されており、ヘッド
キャリッジ２２は、キャリッジガイド軸２３に沿って紙幅方向と同一方向に往復移動可能
となっている。
【００２４】
図２及び図３に示すように、ヘッドキャリッジ２２の上側には、リボンカセット装着部
１０が形成されている。当該リボンカセット装着部１０も後方に向けて上側に向かうよう
に傾斜配置されている。従って、ここに装着したリボンカセット９のインクリボンは、記
録ヘッド２０とプラテン２１との間に、これらと平行となるようにセット可能である。
【００２５】
前方傾斜路部分１７に連続している後方傾斜路部分１８は、プラテン２１の上端から後
方に向けて折れ曲がった方向に延びているガイド板２８によって規定されている。この後
方傾斜路部分１８には、紙送りローラ２５と、紙押さえローラ２６とを備えた紙送り機構
が配置されている。ロール紙７は、紙送りローラ２５と紙押さえローラ２６の間に挟まれ
、不図示の駆動源によって紙送りローラ２５を回転することによって記録紙搬送路１５に
沿って搬送される。なお、本実施形態では、プラテン２１と、その上下に連続している搬
送ガイド１６ａ及びガイド板２８とが単一部品であるプラテンフレーム５５から形成され
ている。このプラテンフレーム５５は、開閉フレーム５１の前端連結板部５４の前端に取
り付けられている。このプラテンフレーム５５におけるガイド板２８に形成した開口から
は、２個の紙送りローラ２５の外周面が前方に突出している。
【００２６】
記録紙排出口５の近傍には、図２〜図４に示すように、ロール紙７を切断するための鋏
式の自動切断ユニット３０が配置されている。この自動切断ユニット３０は、ロール紙７
の搬送経路を挟み、前側に配置された固定刃３１と、後側に配置された可動刃３２と、可
動刃３２を動作させるための駆動機構３３とを備えている。可動刃３２及び駆動機構３３
はケース３４に内蔵されている。可動刃３２及び駆動機構３３は、図４に示すように、開
閉フレーム５１の前端連結板部５４上に、水平に搭載されている。固定刃３１と可動刃３
２との間にあるロール紙７は、可動刃３２が固定刃３１の上面を摺動することによって切
断される。また、記録紙排出口５の前縁部分には手動操作によりロール紙７を切断可能な
切断刃３５が取り付けられている。
【００２７】
このプリンタユニット１１では、ロール紙７の交換作業などを簡単に行うことができる
ように、図３に示すように、ロール紙７を収納する収納部８を閉塞している開閉蓋４を開
けると、収納部８と共に、記録紙搬送路１５も開放状態となるように構成されている。そ
のために、固定側ユニット１２には、記録紙搬送路１５を構成する一方の構成部品を取り
付け、移動側である開閉側ユニット１３には開閉蓋４と、記録紙搬送路１５を構成する他
方の構成部品とを取り付け、開閉側ユニット１３を開くと、収納部８が露出されると同時
に、記録紙搬送路１５も開放されるようになっている。
【００２８】
固定側ユニット１２は、収納部８、搬送路部分１６の固定側の搬送ガイド１６ｂ、記録
ヘッド２０、紙押さえローラ２６及び自動切断ユニット３０の固定刃３１を備えている。
また、開閉側ユニット１３は、搬送路部分１６、前方傾斜路部分１７及び後方傾斜路部分
１８を規定するプラテンフレーム５５（開閉側の搬送ガイド１６ａ、プラテン２１及びガ
イド板２８）と、紙送りローラ２５と、自動切断ユニット３０の可動刃３２及び駆動機構
３３とを備えている。この可動刃３２が何らかの故障で切断状態、つまり可動刃３２が固
定刃３１と交叉状態で停止されたときであっても、可動刃３２が固定刃３１の上側に位置
するので、開閉側ユニット１３は、移動可能となる。
【００２９】
このように、開閉側ユニット１３を全開にすると、上方からロール紙７を収納部８に落
とし込むという簡単な操作によりロール紙７を収納できる。また、記録紙搬送路１５が開
放状態になっているので、記録紙搬送路１５に沿ってロール紙７を配置する操作も極めて
簡単である。さらに、開閉側ユニット１３を閉じて図２に示す状態に戻すと、ロール紙７
が記録ヘッド２０とプラテン２１の間、及び紙送りローラ２５と紙押さえローラ２６の間
を通って記録紙排出口５から引き出された状態が自動的に形成される。
【００３０】
図６は、ロール紙を示す斜視図である。この図６に示すロール紙７の記録面７ａ（表面
）には、切断位置を識別するためのマークとしてのブラックマーク１００が、紙幅方向の
一方の端部（一端部）Ａに沿って長さ方向に一定の間隔で付与されている。
【００３１】
図２、図３及び図５に示すように、上記搬送ガイド１６ａ、１６ｂには、ロール紙７（
図６）に付与されているブラックマーク１００を検出するセンサ３７が設けられている。
このセンサ３７は、発光部及び受光部を有する光反射型センサ素子３８と、反射部として
の反射板３９とを備えて構成される。光反射型センサ素子３８は、ロール紙７に付与され
ているブラックマーク１００に対向するように配置される。このセンサ３７によりブラッ
クマーク１００が検出された場合に、自動切断ユニット３０が作動し、ロール紙が所望長
に切断される。
【００３２】
ここで、ロール紙７の種類によっては、図７（ａ）〜（ｃ）に示すように、ブラックマ
ーク１００が、紙幅方向の他方の端部（他端部）Ｂの表面７ａに沿って長さ方向に一定の
間隔で付与される場合（図７（ａ））と、ブラックマーク１００が、紙幅方向における一
端部Ａの、表面７ａに対する反対側の裏面７ｂに沿って長さ方向に一定の間隔で付与され
る場合（図７（ｂ））と、ブラックマーク１００が、紙幅方向における他端部Ｂの、裏面
７ｂに沿って長さ方向に一定の間隔で付与される場合（図７（ｃ））とがある。或いは、
夫々の場合において、ロール紙の紙幅寸法Ｗが、長短２種類存在する場合がある。
【００３３】
本実施形態では、図５に示すように、固定側の搬送ガイド１６ｂには、センサ３７の光
反射型センサ素子３８又は反射板３９を取付自在とする複数の取付部６１ａ、６１ｂ、６
１ｃが形成されている。また、開閉側の搬送ガイド１６ａには、センサ３７の光反射型セ
ンサ素子３８又は反射板３９を取付自在とする複数の取付部６２ａ、６２ｂ、６２ｃが形
成されている。各取付部６１ａ、６１ｂ、６１ｃは、紙幅方向と同一方向に沿って固定側
の搬送ガイド１６ｂに形成され、各取付部６２ａ、６２ｂ、６２ｃは、紙幅方向と同一方
向に沿って開閉側の搬送ガイド１６ａに形成されている。
【００３４】
固定側の搬送ガイド１６ｂにおける複数の取付部６１ａ、６１ｂ、６１ｃの内、一つの
取付部６１ａは、一方の紙幅規制部５６により規制されたロール紙７（図６、図７（ｂ）
）の一端部Ａ（紙幅規制部５６側）に対向するように形成され、残りの取付部６１ｂ、６
１ｃは、他方の紙幅規制部５７を移動させて各所定位置に移動させた場合の紙幅規制部５
７により規制されたロール紙７（図７（ａ）、図７（ｃ））の他端部Ｂ（紙幅規制部５７
側）に対向するように形成される。
【００３５】
また、開閉側の搬送ガイド１６ａにおける複数の取付部６２ａ、６２ｂ、６２ｃの内、
一つの取付部６２ａは、一方の紙幅規制部５６により規制されたロール紙７（図６、図７
（ｂ））の一端部Ａに対向するように形成され、残りの取付部６２ｂ、６２ｃは、他方の
紙幅規制部５７を移動させて各所定位置に移動させた場合の紙幅規制部５７により規制さ
れたロール紙７（図７（ａ）、図７（ｃ））の他端部Ｂに対向するように形成される。こ
の開閉側の搬送ガイド１６ａの各取付部６２ａ、６２ｂ、６２ｃには、光反射型センサ素
子３８又は反射板３９が、センサホルダ６８を用いて取付自在に構成されている。
【００３６】
これにより、ブラックマーク１００の印刷位置が、ロール紙７上の、いずれの位置にあ
ったとしても、それを検出自在にセンサ３７が取り付けられる。つまり、センサ３７の光
反射型センサ素子３８を複数の取付部の内、ブラックマーク１００の付与位置に対応する
一つの取付部に取り付けるだけでよいので、プリンタ１の製造工程において、センサ３７
を取り付ける位置に応じて搬送ガイド１６ａ、１６ｂの形状を変更する必要がなく、ブラ
ックマーク１００の付与位置の異なる各種のロール紙７に対応してセンサ３７を配置する
ことができ、プリンタ１の汎用性を向上させることができる。
【００３７】
図２、図３及び図５では、図６に示すロール紙７を使用する場合のセンサ３７の取り付
け状態を示している。図５に示すセンサ３７の光反射型センサ素子３８は、使用されるロ
ール紙７のブラックマーク１００の付与位置に応じて、その対応する位置の一つの取付部
６１ａに取り付けられ、反射板３９は、光反射型センサ素子３８が取り付けられた取付部
６１ａに記録紙搬送路１５の搬送路部分１６を挟んで対向する一つの取付部６２ａにセン
サホルダ６８を用いて取り付けられる。
【００３８】
図８は、図５の開閉フレーム５１を示す斜視図である。この開閉フレーム５１の前端連
結板部５４には、各取付部６２ａ、６２ｂ、６２ｃに対応する位置に、センサホルダ６８
をねじ８１で固定するためのねじ孔８２ａ、８２ｂ、８２ｃが形成されている。図８では
、反射板３９が、複数の取付部６２ａ、６２ｂ、６２ｃの内、一つの取付部６２ａにセン
サホルダ６８を用いて取り付けられている。
【００３９】
センサホルダ６８は、開閉フレーム５１の前端連結板部５４にねじ８１で固定される固
定部６８ａと、この固定部６８ａから開閉側の搬送ガイド１６ａに向けて連なって延びる
アーム部６８ｂと、このアーム部６８ｂに連なり、光反射型センサ素子３８又は反射板３
９（図８では、反射板３９）が固定されるセンサ固定部６８ｃとを備えている。このセン
サ固定部６８ｃの搬送面側は、センサホルダ６８を開閉フレーム５１に固定した際に、開
閉側の搬送ガイド１６ａと同一面内となるように形成され、開閉側の搬送ガイド１６ａの
一部として機能する。
【００４０】
図５に示すように、固定側の搬送ガイド１６ｂの各取付部６１ａ、６１ｂ、６１ｃ近傍
には、紙幅方向と同一方向に同一形状の開口６９ａ、６９ｂ、６９ｃが形成されており、
光反射型センサ素子３８は、固定側の搬送ガイド１６ｂの搬送面とは反対の裏面から開口
６９ａを通じて記録紙搬送路１５の搬送路部分１６に臨むように対応する取付部６１ａに
取り付けられる。
【００４１】
また、図８に示すように、センサホルダ６８のセンサ固定部６８ｃには、固定側の搬送
ガイド１６ｂの開口６９ａ、６９ｂ、６９ｃ（図５）と同一形状の開口７０が形成されて
いる。センサホルダ６８は、この開口７０が、開閉フレーム５１を閉じた状態で図５に示
す固定側の搬送ガイド１６ｂの開口６９ａ、６９ｂ、６９ｃの内、一つの開口６９ａに対
向するように配置される。反射板３９は、開閉側の搬送ガイド１６ａの搬送面とは反対の
裏面から開口７０を通じて記録紙搬送路１５の搬送路部分１６に臨むように対応する取付
部６２ａに取り付けられる。
【００４２】
図９は、図５のセンサ３７を取付部６１ａ、６２ａに取り付けた場合で、記録紙搬送路
１５を介して対向している取付状態を説明するための主要部の部分分解斜視図である。こ
の図９に示すように、センサ３７の光反射型センサ素子３８は、回路基板６３に配置され
、光反射型センサ素子３８を保護するために覆うセンサカバー６４に回路基板６３ごと支
持される。
【００４３】
この回路基板６３には、光反射型センサ素子３８が配置されると共に、当該光反射型セ
ンサ素子３８を駆動するための各種回路素子が配置されるため、この回路基板６３の大き
さは、光反射型センサ素子３８の大きさよりも大きくなる。
【００４４】
一方、光反射型センサ素子３８を、ロール紙７のブラックマーク１００に対応させて、
上記取付部に取り付ける場合には、この光反射型センサ素子３８を、上紙幅規制部５６又
は５７側に寄せて配置する必要がある。従って、大きな回路基板６３に、それに比して小
さい光反射型センサ素子３８を実装する場合、回路基板６３の一方の側に寄せて配置する
ことになる。ここで、一方の側に寄せて配置した回路基板６３を、紙送り方向に縦長に取
り付けた場合には、記録紙搬送路１５の搬送路部分１６が長くなり、本体が大型化する。
これを解消するため、本構成では、回路基板６３を横長に形成し、記録紙搬送路１５の搬
送路部分１６を短く設定できるようにした。
【００４５】
回路基板６３を横長に形成し、その一方の端部６３ａに光反射型センサ素子３８を実装
し、この同一の光反射型センサ素子３８を、紙幅規制部５６又は５７のいずれか一方の側
に寄せて配置するとなると、紙幅規制部５６の側に寄せて配置する場合と、紙幅規制部５
７の側に寄せて配置する場合とで、回路基板６３を、基板面内で、１８０°回転させて取
付部に取り付ける必要がある。
【００４６】
従って、回路基板６３は、基板面内において１８０°回転対称な形状に形成されており
、光反射型センサ素子３８は、この横長の回路基板６３の一方の端部６３ａ側に寄せて取
り付けられている。センサカバー６４は、透明体（例えば透明の樹脂）で形成されており
、回路基板６３を、基板面内における１８０°の回転に対して支持自在に構成されており
、このセンサカバー６４ごと光反射型センサ素子３８を対応する取付部に取り付けた場合
に、光反射型センサ素子３８が紙幅規制部５６又は５７側に寄せて配置される。
【００４７】
センサカバー６４と回路基板６３の組み立てを詳細に説明すると、横長の回路基板６３
の四隅には、貫通孔６３ｂが形成されており、図１０に示すように、センサカバー６４に
は、回路基板６３の貫通孔６３ｂに挿通される四本の挿通棒６４ａと、直方体状の光反射
型センサ素子３８が外形基準で嵌め込まれて位置決めされる２つの凹部６４ｂとが形成さ
れている。そしてそれらを組み立てる場合、回路基板６３の各貫通孔６３ｂをセンサカバ
ー６４の各挿通棒６４ａに挿通し、光反射型センサ素子３８をセンサカバー６４の２つの
凹部６４ｂの内の紙幅規制部材５６側の凹部６４ｂに上部を当接させて嵌め込み、その後
、四本の挿通棒６４ａを熱溶着することにより、センサカバー６４に光反射型センサ素子
３８を配置した回路基板６３を支持させている。この光反射型センサ素子３８を支持した
センサカバー６４が、固定側の搬送ガイド１６ｂ（図５）の搬送面に対する裏面側から取
付部６１ａ（図５）にねじ６６で固定される。
【００４８】
また、図９に示すように、センサ３７の反射板３９は、反射支持部６５に支持される。
具体的には、反射板３９は、反射支持部６５の突出部６５ａ（図２又は図３）に貼付され
る。この反射板３９を支持した反射支持部６５が、開閉側の搬送ガイド１６ａ（図５）の
搬送面に対する裏面側からセンサホルダ６８のセンサ固定部６８ｃにねじ６７で固定され
る。その際、反射板３９及び反射板３９を貼付する反射支持部６５の突出部６５ａは各開
口６９ａ、６９ｂ、６９ｃ、７０（図５）に嵌るように、且つ、搬送路部分１６の近傍と
なるように形成されている。上記構成により、反射板３９がロール紙を搬送ガイドするこ
とからロール紙面と光反射型センサ素子３８の発光面及び受光面との間隔を適正な間隔に
保持することができる。
【００４９】
ここで、反射板３９は、光反射型センサ素子３８を配置した回路基板６３を１８０°回
転させても、光反射型センサ素子３８に対向することができるように、横長に形成しなけ
ればならない。従って、本実施形態において、図５に示すように、横長の反射板３９が記
録紙搬送路１５の搬送路部分１６に臨むように、各開口６９ａ、６９ｂ、６９ｃ、７０は
、横長の略長方形状に形成されている。つまり、光反射型センサ素子３８は、回路基板６
３上の長手方向の一方の端部６３ａに寄せて配置されているので、センサカバー６４を取
付部６１ａ〜６１ｃ、６２ａ〜６２ｃのいずれかに取り付けた場合は、対応する開口にお
いて、長手方向のいずれかの端部から記録紙搬送路１５の搬送路部分１６に臨むこととな
る。
【００５０】
図５及び図９に示すように、回路基板６３は、光反射型センサ素子３８が紙幅規制部５
６側に配置されるようにセンサカバー６４に保持される。これによって、図６に示す表面
７ａにおける紙幅方向の一端部Ａ（紙幅規制部５６側の端部）にブラックマーク１００が
付与されている規格のロール紙７を使用する場合に、図５に示す光反射型センサ素子３８
は、ロール紙７に付与されているブラックマーク１００に対向するように配置されること
となる。
【００５１】
また、紙幅規制部５６を基準にロール紙７が収納部８に収納されるので、固定側の搬送
ガイド１６ｂの取付部６１ａに配置された光反射型センサ素子３８は、表面７ａにおける
紙幅方向の一端部Ａにブラックマーク１００が付与されている規格のロール紙７であれば
、紙幅寸法Ｗの異なる規格であっても、ブラックマーク１００に対向する。
【００５２】
次に、図７に示すブラックマーク１００の付与位置の異なる規格のロール紙７を使用す
る場合について説明する。
【００５３】
図７（ａ）に示すロール紙７を使用する場合、光反射型センサ素子３８は、紙幅寸法Ｗ
に応じて取付部６１ｂ又は６１ｃ（図５）に取り付けられ、反射板３９は、光反射型セン
サ素子３８が取り付けられる取付部６１ｂ又は６１ｃに対向する取付部６２ｂ又は６２ｃ
にセンサホルダ６８を用いて取り付けられる。また、図７（ｂ）に示すロール紙７を使用
する場合、光反射型センサ素子３８は、取付部６２ａ（図５）にセンサホルダ６８を用い
て取り付けられ、反射板３９は、光反射型センサ素子３８が取り付けられる取付部６２ａ
に対向する取付部６１ａに取り付けられる。更に、図７（ｃ）に示すロール紙７を使用す
る場合、光反射型センサ素子３８は、紙幅寸法Ｗに応じて取付部６２ｂ又は６２ｃ（図５
）にセンサホルダ６８を用いて取り付けられ、反射板３９は、光反射型センサ素子３８が
取り付けられる取付部６２ｂ又は６２ｃに対向する取付部６１ｂ又は６１ｃに取り付けら
れる。
【００５４】
図１１は、図７（ａ）に示すロール紙７を使用する場合のセンサ３７の取付状態を説明
するための図９に相当する主要部の部分分解斜視図であり、図１２は、図７（ｂ）に示す
ロール紙７を使用する場合のセンサ３７の取付状態を説明するための主要部の部分分解斜
視図であり、図１３は、図７（ｃ）に示すロール紙７を使用する場合のセンサ３７の取付
状態を説明するための同様の主要部の部分分解斜視図である。
【００５５】
まず、図７（ａ）に示すロール紙７を使用する場合、図１１に示すように、回路基板６
３は、紙幅規制部５６（図５）側に光反射型センサ素子３８が配置される状態に対して基
板面内に１８０°回転させて、光反射型センサ素子３８が紙幅規制部５７（図５）側に配
置されるようにセンサカバー６４の２つの凹部６４ｂ（図１０）の内の紙幅規制部材５７
側の凹部６４ｂに上部を当接させて嵌め込ませて組み立てられ、センサカバー６４に保持
される。
このセンサカバー６４は、図７（ａ）に示すロール紙７の紙幅寸法Ｗに応じて、光反射
型センサ素子３８が、図５に示す搬送ガイド１６ｂの搬送面とは反対の裏面から横長の開
口６９ｂ又は開口６９ｃを通じて記録紙搬送路１５の搬送路部分１６に臨むように取付部
６１ｂ又は取付部６１ｃに取り付けられる。つまり、ロール紙７が紙幅寸法Ｗの短い規格
のものであれば、光反射型センサ素子３８は、取付部６１ｂに取り付けられ、ロール紙７
が紙幅寸法Ｗの長い規格のものであれば、光反射型センサ素子３８は、取付部６１ｃに取
り付けられる。
【００５６】
従って、図７（ａ）に示す表面７ａにおける紙幅方向の他端部Ｂ（紙幅規制部５７側の
端部）にブラックマーク１００が付与されている規格のロール紙７を使用する場合におい
て、光反射型センサ素子３８は、ロール紙７のブラックマーク１００に対向するように配
置されることとなる。また、反射支持部６５は、反射板３９が搬送ガイド１６ａの搬送面
とは反対の裏面から横長の開口７０を通じて記録紙搬送路１５の搬送路部分１６に臨むよ
うに取付部６２ｂ又は取付部６２ｃにセンサホルダ６８を用いて取り付けられる。
【００５７】
また、図７（ｂ）に示すロール紙７を使用する場合、図１２に示すように、回路基板６
３は、紙幅規制部５６（図５）側に光反射型センサ素子３８が配置されるようにセンサカ
バー６４に保持される。このセンサカバー６４は、図７（ｂ）に示すロール紙７の紙幅寸
法Ｗがいずれの長さであっても、光反射型センサ素子３８が、図５に示す搬送ガイド１６
ａの搬送面とは反対の裏面からセンサホルダ６８の開口７０を通じて記録紙搬送路１５の
搬送路部分１６に臨むように取付部６２ａに取り付けられる。これによって、図７（ｂ）
に示すロール紙７を使用する場合において、光反射型センサ素子３８は、ブラックマーク
１００に対向するように配置されることとなる。また、反射支持部６５は、反射板３９が
搬送ガイド１６ｂの搬送面とは反対の裏面から横長の開口６９ａを通じて記録紙搬送路１
５の搬送路部分１６に臨むように取付部６１ａに取り付けられる。
【００５８】
また、図７（ｃ）に示すロール紙７を使用する場合、図１３に示すように、回路基板６
３は、紙幅規制部５６（図５）側に光反射型センサ素子３８が配置される状態に対して基
板面内に１８０°回転させて、光反射型センサ素子３８が紙幅規制部５７（図５）側に配
置されるようにセンサカバー６４に保持される。このセンサカバー６４は、図７（ｃ）に
示すロール紙７の紙幅寸法Ｗに応じて、光反射型センサ素子３８が、図５に示す搬送ガイ
ド１６ｂの搬送面とは反対の裏面からセンサホルダ６８の横長の開口７０を通じて記録紙
搬送路１５の搬送路部分１６に臨むように取付部６２ｂ又は取付部６２ｃに取り付けられ
る。つまり、ロール紙７が紙幅寸法Ｗの短い規格のものであれば、光反射型センサ素子３
８は、取付部６２ｂに取り付けられ、ロール紙７が紙幅寸法Ｗの長い規格のものであれば
、光反射型センサ素子３８は、取付部６２ｃに取り付けられる。これによって、図７（ｃ
）に示すロール紙７を使用する場合において、光反射型センサ素子３８は、ブラックマー
ク１００に対向するように配置されることとなる。また、反射支持部６５は、反射板３９
が搬送ガイド１６ｂの搬送面とは反対の裏面から横長の開口６９ｂ又は６９ｃを通じて記
録紙搬送路１５の搬送路部分１６に臨むように取付部６１ｂ又は取付部６１ｃに取り付け
られる。
【００５９】
従って、センサ３７の光反射型センサ素子３８及び反射板３９を、用いられるロール紙
７の種類に対応する取付部に、共通の部材（図９、図１１〜図１３に示すセンサカバー６
４、反射支持部６５及びセンサホルダ６８等）を用いて取り付けることができるので、プ
リンタ１の汎用性を向上させることができる。また、異なる部材でセンサを取り付ける場
合に比べ、部品点数を削減することができる。
【００６０】
また、図５、図９及び図１１に示すように、センサカバー６４の搬送面６４ｃ側には、
開口６９ａの長手方向の中央に位置して、長手方向とは直交する方向であって、記録紙搬
送路１５の搬送路部分１６近傍まで突出する縦長の突起８３が形成されている。これは、
センサ３７の精度を向上させるために、図２、図３に示すように、光反射型センサ素子３
８を記録紙搬送路１５の搬送路部分１６から離して設置しており、また、センサカバー６
４による透過率の減少を少なくするために、前述のように厚みの薄い凹部６４ｂ（図１０
）に取り付けており、センサカバー６４の搬送面６４ｃは、搬送路部分１６から退避した
位置に位置されている。その為に、ロール紙が横長の開口６９ａから撓んで光反射型セン
サ素子３８に近接することにより誤検出の可能性があるが、このように、センサカバー６
４に突起８３が設けられているので、横長の開口６９ａを通じてロール紙が撓んで光反射
型センサ素子３８に近接するのを防止することができ、紙面と光反射型センサ素子３８の
発光面及び受光面との間隔を適正な間隔に保持することができる。従って、ブラックマー
クの検出精度の低下を抑制することができる。尚、この突起８３は、開口６９ａの長手方
向の中央に限らず、長手方向の中央から長手方向に僅かにずれて配置されていてもよい。
【００６１】
図１４は、別の実施形態の記録紙２００を示す斜視図である。この記録紙２００には、
台紙２００Ａの表面２０２に、ロゴやメッセージ、罫線等のフォーマットが予め印刷され
たラベル２０１が貼付されている。この記録紙２００の台紙２００Ａの裏面２０３には、
印字位置を位置決するためのマーク１００（例えば、ブラックマーク）が印刷されており
、マーク１００を検出するセンサが対応する取付部に取り付けられる。このセンサによる
マーク１００の検出結果に基づいて、ラベル２０１の位置に文字を含む画像が記録され、
記録後のラベル２０１がユーザによって台紙２００Ａから取り外される。従って、この印
字位置を位置決するためのマーク１００が印刷されている記録紙２００を用いる記録装置
では、記録紙２００を切断する必要がないので、切断ユニットを省略しても構わないもの
である。
【００６２】
以上、一実施形態に基いて本発明を説明したが、本発明は、これに限定されるものでは
ない。例えば、上記実施形態では、ドットインパクト式の記録ヘッド２０を備えたプリン
タに関するものであるが、記録ヘッドとしてインクジェットヘッドを用いたプリンタに対
しても本発明を同様に適用可能である。さらに、記録ヘッドとしてサーマルヘッドのよう
な接触型のものを用いたプリンタに対しても適用可能である。
【００６３】
また、上記実施形態では、センサ３７が、光反射型センサ素子３８及び反射板３９を１
組備えて構成される場合について説明したが、それらが２組以上備えられていても構わな
く、あるいは、センサが、光反射型センサ素子のみで構成される場合であってもよい。こ
の場合、光反射型センサ素子は、一対の搬送ガイドの内、一方の搬送ガイドに取り付けら
れることとなる。
【００６４】
更には、上記実施形態では、ブラックマークが検出された場合に、自動切断ユニット３
０が作動して切断する例を説明したが、ブラックマークを検出した後、ロール紙を所定長
さ搬送してから切断しても構わないものである。
【図面の簡単な説明】
【００６５】
【図１】本発明の実施形態に係る記録装置としてのプリンタの外観を示す正面斜視図である。
【図２】プリンタの概略側断面図である。
【図３】開閉蓋を開けた状態でのプリンタの概略側断面図である。
【図４】プリンタケースに内蔵されているプリンタユニットを示す斜視図である。
【図５】開閉フレームを開いた状態のプリンタフレームを示す斜視図である。
【図６】ロール紙を示す斜視図である。
【図７】他の種類のロール紙を示す斜視図である。
【図８】図５の開閉フレームを示す斜視図である。
【図９】図５のセンサの取付状態を説明するための主要部の部分分解斜視図である。
【図１０】センサカバーを示す斜視図である。
【図１１】センサの取付状態を説明するための主要部の部分分解斜視図である。
【図１２】センサの取付状態を説明するための主要部の部分分解斜視図である。
【図１３】センサの取付状態を説明するための主要部の部分分解斜視図である。
【図１４】別の実施形態の記録紙を示す斜視図である。
【符号の説明】
【００６６】
１…プリンタ、７…ロール紙（記録紙）、８…収納部、１２…固定側ユニット、１３…
開閉側ユニット、１５…記録紙搬送路、１６…搬送路部分、１６ａ…開閉側の搬送ガイド
、１６ｂ…固定側の搬送ガイド、２０…記録ヘッド、２１…プラテン、３０…自動切断ユ
ニット（切断ユニット）、３７…センサ、３８…光反射型センサ素子、３９…反射板（反
射部）５６、５７…紙幅規制部、６１ａ，６１ｂ，６１ｃ，６２ａ，６２ｂ，６２ｃ…取
付部、６３…回路基板、６４…センサカバー、６５…反射支持部、８３…突起。
【図１】
2006056178.tif 000003
【図２】
2006056178.tif 000004
【図３】
2006056178.tif 000005
【図４】
2006056178.tif 000006
【図５】
2006056178.tif 000007
【図６】
2006056178.tif 000008
【図７】
2006056178.tif 000009
【図８】
2006056178.tif 000010
【図９】
2006056178.tif 000011
【図１０】
2006056178.tif 000012
【図１１】
2006056178.tif 000013
【図１２】
2006056178.tif 000014
【図１３】
2006056178.tif 000015
【図１４】
2006056178.tif 000016